(57)【要約】【課題】携帯電話装置を装着していない状態で、出力端子を突出させることなく、出力端子の変形を防止するとともに、安全性の向上を図った充電装置。【解決手段】一端が端子用孔から突出される端子部２４とされ、他端２６が支持板１５に固定され、コイル部２５が主軸１６に挿通された一対の出力端子１１，１２とを有し、ボタン部７，８を突出方向に付勢する力は、支持板１５によって、レバー１７，１８が下方に付勢する力よりも大きくされ、支持板１５は、ボタン部７，８の全てが押下されることによって下方に下がり、一対の出力端子の他端を下方に押圧することにより、出力端子の一端に設けられた端子部２４が、端子用孔より突出する携帯電子機器用充電装置。【選択図】図２
2013017376.tif 000002
【特許請求の範囲】
【請求項１】
携帯電子機器が勘合されて装着され、複数のボタン用孔、及び複数の端子用孔が形成された載置面を有する筐体と、
前記筐体の内部に前記載置面に沿う方向に延在するように固定された主軸と、
前記主軸を中心に回動可能に設けられ、前記ボタン用孔から突出し、前記携帯電子機器の載置により押圧されるボタン部がそれぞれの先端に形成され、常時前記ボタン部の突出方向に付勢されている複数のレバーと、
前記主軸と略平行に設けられた軸形状の支持板であって、前記複数のレバーに前記ボタン部の突出方向より当接し、前記複数のレバーを前記ボタン部の突出方向とは反対方向の下方に付勢する支持板と、
連続した線材により形成されたねじりコイルばねによって形成された一対の出力端子であって、一端が前記端子用孔から突出される端子部とされ、他端が前記支持板に固定され、コイル部が前記主軸に挿通された一対の出力端子とを有し、
前記ボタン部を突出方向に付勢する力は、前記支持板によって前記レバーが下方に付勢する力よりも大きくされ、前記支持板は前記ボタン部の全てが押下されることによって下方に下がり、前記一対の出力端子の他端を下方に押圧することにより、前記出力端子の一端に設けられた端子部が前記端子用孔より突出することを特徴とする携帯電子機器用充電装置。
【請求項２】
前記レバーは、前記主軸の両端側に１つずつ設けられ、前記一対の出力端子は、前記一対のレバーの間に設けられていることを特徴とする請求項１に記載の携帯電子機器用充電装置。
【請求項３】
前記支持板は圧縮コイルばねによって下方に付勢されていることを特徴とする請求項１又は請求項２に記載の携帯電子機器用充電装置。
【請求項４】
携帯電子機器が勘合されて装着され、複数のボタン用孔、及び複数の端子用孔が形成された載置面を有する筐体と、
所定の軸部を中心に回動可能に設けられ、前記ボタン用孔から一方向に突出し、前記携帯電子機器の載置により押圧されるボタン部がそれぞれの一端に形成されるとともに、支持板規制部が他端に形成され、常時前記ボタン部の突出方向に付勢されている複数のレバーと、
前記端子用孔から一方向に突出するように付勢された一対の出力端子と、
前記軸部と略平行に設けられた長尺板形状の支持板であって、前記複数のレバーの支持板規制部に一方向への移動を規制されるとともに、前記一対の出力端子の一方向の移動を規制する支持板とを有し、
前記ボタン部の全てが押下されることによって前記支持板規制部が移動し、前記支持板が一方向に移動することにより、前記一対の出力端子の一端に設けられた端子部が前記端子用孔より突出することを特徴とする携帯電子機器用充電装置。
【請求項５】
前記レバーは、前記筐体の内部に１つずつ設けられ、前記一対の出力端子は、前記一対のレバーの間に設けられていることを特徴とする請求項４に記載の携帯電子機器用充電装置。
【請求項６】
前記一対の出力端子は連続した線材により形成されたねじりコイルばねによって形成され、前記端子部はねじりコイルバネの弾性力によって付勢されていることを特徴とする請求項４又は請求項５に記載の携帯電子機器用充電装置。
【発明の詳細な説明】
【技術分野】
【０００１】
本発明は、携帯電子機器用充電装置に係り、特に、携帯電子機器を充電装置の筐体に載置することにより充電が開始される携帯電子機器用充電装置に関する。
【背景技術】
【０００２】
携帯電話装置等の携帯電子機器をその筐体内に載置することによって充電作業を行うようにした、携帯電子装置用充電装置が既に公知である。このような充電装置においては、携帯電子機器の充電端子に接触する正負の出力端子が、携帯電子機器を載置する面より突出するように設けられていることが一般的である（例えば特許文献１参照）。
【０００３】
ところで、上述したような出力端子が突出した形態の充電装置においては、正負の出力端子間に導電性異物が接触することによるショートや、通電された状態で人体が端子間に接触することによる低温やけど等の危険性がある。
【０００４】
このような危険性を回避する充電装置として、図１２に示すような充電装置１０１が知られている。
この充電装置１０１には、ボタン１０７を押下することによって、このボタン１０７と一体化されたレバー１１７を介して押下される安全スイッチ１１０が設けられている。この充電装置１０１は、安全スイッチ１１０が押下されている場合に限り出力端子１１１に電気を流す構成となっており、図１２（ａ）に示すように、携帯電話装置１００が筐体１０２に装着されていないときは、安全スイッチ１１０が押下されず、出力端子１１１に電気が流れない。一方、図１２（ｂ）に示すように、携帯電話装置１００を筐体１０２に載置することによって、ボタン用孔１０６より突出されたボタン１０７が押下され、このボタン１０７と一体化されたレバー１１７を介して安全スイッチ１１０が押下され、出力端子１１１に電気が流れるようになり、充電が行われる。このような構成とすることにより、携帯電話装置１００を載置しない状態で正負の出力端子１１５間に導電性異物が接触することによるショートの危険性を回避することができる。
【０００５】
また、図１３に示すように、携帯電話装置１００が装着されているときのみ出力端子１１１Ｂが突出する方式の充電装置１０１Ｂがある。
この充電装置１０１Ｂは、図１３（ａ）に示すように、筐体１０２Ｂに携帯電話装置１００が装着されていないときには出力端子１１１Ｂが充電装置１０１Ｂの筐体１０２Ｂ内に収納されており、図６（ｂ）に示すように、携帯電話装置１００を装着したときに、充電装置１０１Ｂの筐体１０２Ｂから突出されたレバー１０７Ｂが携帯電話装置１００により押下され、出力端子１１１Ｂが筐体１０２Ｂから突出し、携帯電話装置１００の充電端子１００ａと接触する構造となっている。このような構成とすることにより、携帯電話装置１００の未装着時においては出力端子１１１Ｂが突出せず、ショートの危険性を回避することができる。
【先行技術文献】
【特許文献】
【０００６】
【特許文献１】特開２００３−４７１６４号公報
【発明の概要】
【発明が解決しようとする課題】
【０００７】
しかしながら、図１２に示したような充電装置１０１の場合は、出力端子１１５が常時むき出しとなっており、何らかの物体を出力端子１１５に引っ掛けて、出力端子１１５を破損させてしまう問題がある。
また、図１３に示したような充電装置１０１Ｂの場合においては、携帯電話装置１００が装着されていないときには出力端子１１１Ｂは充電装置１０１Ｂの筐体１０２Ｂ内に収納されているが、故意に充電装置１０１Ｂのレバー１０７Ｂを１個押すことによって、一方の出力端子１１１Ｂが突出してくるので、やはり、何らかの物体を出力端子１１１Ｂに引っ掛けたりして外力が加わることによって変形させてしまい、充電ができなくなる恐れがあった。
【０００８】
この発明は、このような事情を考慮してなされたもので、その目的は、携帯電話装置を装着していない状態で、出力端子を突出させることなく、出力端子の変形を防止するとともに、安全性の向上を図った充電装置を提供することにある。
【課題を解決するための手段】
【０００９】
上記課題を解決するために、本発明に係る携帯電子機器の充電装置は、携帯電子機器が勘合されて装着され、複数のボタン用孔、及び複数の端子用孔が形成された載置面を有する筐体と、前記筐体の内部に前記載置面に沿う方向に延在するように固定された主軸と、前記主軸を中心に回動可能に設けられ、前記ボタン用孔から突出し、前記携帯電子機器の載置により押圧されるボタン部がそれぞれの先端に形成され、常時前記ボタン部の突出方向に付勢されている複数のレバーと、前記主軸と略平行に設けられた軸形状の支持板であって、前記複数のレバーに前記ボタン部の突出方向より当接し、前記複数のレバーを前記ボタン部の突出方向とは反対方向の下方に付勢する支持板と、連続した線材により形成されたねじりコイルばねによって形成された一対の出力端子であって、一端が前記端子用孔から突出される端子部とされ、他端が前記支持板に固定され、コイル部が前記主軸に挿通された一対の出力端子とを有し、前記ボタン部を突出方向に付勢する力は、前記支持板によって、前記レバー部が下方に付勢する力よりも大きくされ、前記支持板は、前記ボタン部の全てが押下されることによって下方に下がり、前記一対の出力端子の他端を下方に押圧することにより、前記出力端子の一端に設けられた端子部が、前記端子用孔より突出することを特徴とする。
【００１０】
また、前記レバーは、前記主軸の両端側に１つずつ設けられ、前記一対の出力端子は、前記一対のレバーの間に設けられて入ることが好ましい。
また、前記支持板は圧縮コイルばねによって下方に付勢されていることが好ましい。
【００１１】
また、本発明は上記課題を解決するために、携帯電子機器が勘合されて装着され、複数のボタン用孔、及び複数の端子用孔が形成された載置面を有する筐体と、所定の軸部を中心に回動可能に設けられ、前記ボタン用孔から一方向に突出し、前記携帯電子機器の載置により押圧されるボタン部がそれぞれの一端に形成されるとともに、支持板規制部が他端に形成され、常時前記ボタン部の突出方向に付勢されている複数のレバーと、前記端子用孔から一方向に突出するように付勢された一対の出力端子と、前記軸部と略平行に設けられた長尺板形状の支持板であって、前記複数のレバーの支持板規制部に一方向への移動を規制されるとともに、前記一対の出力端子の一方向の移動を規制する支持板とを有し、前記ボタン部の全てが押下されることによって前記支持板規制部が移動し、前記支持板が一方向に移動することにより、前記一対の出力端子の一端に設けられた端子部が前記端子用孔より突出することを特徴とする。
【００１２】
また、前記レバーは、前記筐体の内部に１つずつ設けられ、前記一対の出力端子は、前記一対のレバーの間に設けられていることが好ましい。
また、前記一対の出力端子は連続した線材により形成されたねじりコイルばねによって形成され、前記端子部はねじりコイルバネの弾性力によって付勢されていることが好ましい。
【発明の効果】
【００１３】
本発明によれば、携帯電話装置を装着していない状態で、出力端子を突出させることなく、出力端子の変形を防止し、安全性の向上を図ることができる。
【図面の簡単な説明】
【００１４】
【図１】本発明の第一実施形態に係る充電装置を示す斜視図である。
【図２】本発明の第一実施形態に係る充電装置の端子機構を示す斜視図である。
【図３】本発明の第一実施形態に係る充電装置の未使用状態を示す断面図である。
【図４】本発明の第一実施形態に係る充電装置の使用状態を示す断面図である。
【図５】本発明の第二実施形態に係る充電装置を示す斜視図である。
【図６】本発明の第二実施形態に係る充電装置の端子機構を示す斜視図である。
【図７】本発明の第二実施形態に係る充電装置を示す上面図である。
【図８】本発明の第二実施形態に係る充電装置の未使用状態を示すＡ−Ａ断面図である。
【図９】本発明の第二実施形態に係る充電装置の未使用状態を示すＢ−Ｂ断面図である。
【図１０】本発明の第二実施形態に係る充電装置の使用状態を示すＡ−Ａ断面図である。
【図１１】本発明の第二実施形態に係る充電装置の使用状態を示すＢ−Ｂ断面図である。
【図１２】従来の携帯電子機器の一例を示す断面図であって、（ａ）は携帯電話装置の載置前、（ｂ）は載置後を示す。
【図１３】従来の携帯電子機器の他の例を示す断面図であって、（ａ）は携帯電話装置の載置前、（ｂ）は載置後を示す。
【発明を実施するための形態】
【００１５】
（第一実施形態）
以下、本発明の第一実施形態について図面を参照して詳細に説明する。
図１に示すように、本実施形態の充電装置１は、携帯電話装置１００（図４参照）を装着可能な載置部３が設けられた筐体２と、載置部３の載置面４に設けられた一対のボタン用孔６から突出された第一ボタン７及び第二ボタン８と、一対の端子用孔９から突出された出力端子１３とを有する。出力端子１３は、携帯電話装置１００の充電端子（図示せず）に当接することによって、携帯電話装置１００の内蔵電池を充電可能な正負の端子であり、第一出力端子１１、及び第二出力端子１２とからなる。
【００１６】
以下の説明においては、載置面４に垂直な方向であって、第一ボタン７及び第二ボタン８の突出する方向を上方（図３、図４の上方）といい、この反対方向を下方という。
また、図１は、筐体２の内部の一部を可視とした部分透視図であり、一対のボタン用孔６のうち、一方は図示されていない。同様に、一対の端子用孔９のうち、一方は図示されていない。第一ボタン７、第二ボタン８、第一出力端子１１、及び第二出力端子１２は、図１において透視され、後述する端子機構５を構成するものである。
また、図１は、携帯電話装置１００が載置部３に載置されておらず、第一ボタン７及び第二ボタン８が載置面４から突出しているとともに、出力端子１３が載置面４から突出していない状態を示している。
【００１７】
筐体２は、樹脂によって形成されており、その内部は、端子機構５を格納する空洞が形成されている（図３参照）。空洞は、その上方の上枠３１と下方の下枠３２によって画定されている。
筐体２は、携帯電話装置１００を格納可能な、所謂クレイドル形状をなしており、携帯電話装置１００の背面が当接するのに適した形状の載置面４を有する載置部３と、携帯電話装置１００が載置部３から離脱しないように、載置部３の周囲に設けられたガイド部１４とから構成されている。ガイド部１４は、携帯電話装置１００が載置面４に沿う方向に移動することを防止する目的で、平面視が矩形形状の携帯電話装置１００の四隅に当接するように設けられている。
【００１８】
本実施形態においては、載置面４は、携帯電話装置１００の背面に対応した平面とされているが、載置面４は、携帯電話装置１００の背面形状が丸みを帯びた形状であれば、その形状に対応した形状とされる。同様に、ガイド部１４も携帯電話装置１００の形状に応じて、適宜形成される。
第一ボタン７及び第二ボタン８の位置は、携帯電話装置１００が、載置部３に載置された状態において、確実に押下される位置に形成されている。また、出力端子１３は、携帯電話装置１００の充電端子に対応した位置に配置されている。
【００１９】
次に、端子機構５について説明する。
図２に示すように、端子機構５は、断面円形の軸である主軸１６と、主軸１６に対して回動可能に取り付けられた第一レバー１７及び第二レバー１８と、同様に、主軸１６に対して回動可能に取り付けられた出力端子１３と、レバー１７，１８及び出力端子に当接してこれらの動きを関連付ける支持板１５とを有する。
【００２０】
主軸１６は、筐体２の内部において、載置面４に沿う方向に沿う、筐体２の短手方向に延在するように配置されている。具体的には主軸１６は、その両端が筐体２の内壁に固定されていることによって、筐体２の内部に固定されている。
【００２１】
第一レバー１７は、主軸１６が挿入される円筒部２０と、円筒部２０の軸方向に直交する方向に延在するレバー本体２１と、レバー本体２１の端部においてレバー本体２１の延在方向に直交する方向に突出した第一ボタン７とからなる。
第一レバー１７は、円筒部２０を主軸１６に取り付けた状態において、第一ボタン７がボタン用孔６より突出可能なように構成されている。
【００２２】
また、円筒部２０の外周には、ねじりコイルばね２２が取り付けられている。ねじりコイルばね２２は、コイル部と、コイル部の両端が直線状とされた一対の腕部とからなり、一方の腕部がレバー本体２１の下面（第一ボタン７が突出する面と反対側の面）に当接するとともに、他方の腕部が筐体２の下枠３２（図３参照）に当接するように取り付けられている。これにより、第一レバー１７は、第一ボタン７がボタン用孔６より突出する方向に付勢される。
第二レバー１８も第一レバー１７と同様の形状を有しており、第一レバー１７が取り付けられる端部とは反対側の端部に、第一レバー１７とは独立して取り付けられる。
【００２３】
第一出力端子１１及び第二出力端子１２は、所謂ねじりコイルばねの一対の直線状の腕部（端部）を変形させて形成されたものであり、一端部が山状に屈曲加工され端子部２４とされているとともに、中間部が全体的に弾力を有するようにコイル状に形成されてコイル部２５とされ、他端部２６が端子部２４と対向する方向に延在し、支持板１５に固定されている。
第一出力端子１１及び第二出力端子１２は、コイル部２５が、円筒状のスペーサ３０を介して主軸１６に挿通され、端子部２４が第一レバー１７及び第二レバー１８の延在方向とは反対方向に延在するように配置される。また、端子部２４は、第一ボタン７及び第二ボタン８が突出した状態で、山状の部位の頂点が載置面４と同一面上に位置するように形成される。
【００２４】
支持板１５は、断面円形の軸形状をなしており、中央部には、断面矩形のばね当接部２８が形成されている。支持板１５はその両端側が、第一レバー１７及び第二レバー１８の上方に当接するように、かつ、上下方向に移動可能に配置されている。また、ばね当接部２８の両側であって、支持板１５の下方には、第一出力端子１１及び第二出力端子１２の他端部２６が固定されている。
また、支持板１５のばね当接部２８と筐体２の上枠３１との間には、圧縮コイルばね３３（図３参照）が配置されている。これにより支持板１５は、ボタン７，８の突出方向とは反対方向の下方に付勢される。
【００２５】
ここで、第一レバー１７及び第二レバー１８がねじりコイルばね２２によって上方に付勢される力と、支持板１５が圧縮コイルばね３３によって下方に付勢される力の関係は、支持板１５が下方に付勢される力よりもレバー１７，１８が上方に付勢される力の方が強くなるように設定されている。即ち、このような力関係となるように、ねじりコイルばね２２と圧縮コイルばね３３が選定される。
【００２６】
次に、本実施形態の充電装置１の動作について説明する。
図３は、本実施形態の充電装置１の未使用（携帯電話装置１００が未装着状態）状態を示す断面図であり、図４は、使用状態を示す断面図である。
図３に示すように、未使用状態においては、ねじりコイルばね２２の作用によって、レバー１７，１８は上方、即ちボタン７，８の突出方向に付勢されており、これにより、ボタン７，８はボタン用孔６を介して載置面４より突出する。即ち、一対のボタン７，８は使用者により押下可能な状態にある。
【００２７】
一方、レバー１７，１８が上方に付勢される力と、支持板１５が下方に付勢される力の関係は、支持板１５が下方に付勢される力よりもレバー１７，１８が上方に付勢される力の方が強くなるように設定されているため、圧縮コイルばね３３が縮み、支持板１５はレバー１７，１８によって上方に押される。これに伴い、出力端子１３を構成する第一出力端子１１及び第二出力端子１２は、端子１１，１２の他端部２６が上方に位置し、他端部２６の反対側の端子部２４は載置面４より突出することがない。
【００２８】
図４に示すように、携帯電話装置１００を充電装置１に装着しようとするときは、充電装置１の第一ボタン７及び第二ボタン８の両方を押し込みながら装着する。即ち、第一ボタン７及び第二ボタン８が押し込まれることによって、第一レバー１７及び第二レバー１８が主軸１６を中心に回動し、これに伴い、支持板１５が下方へ動き、第一出力端子１１及び第二出力端子１２も主軸１６を中心に回動することによって、端子部２４が載置面４より突出し、携帯電話装置１００と接触する。
【００２９】
さらに、携帯電話装置１００を充電装置１より外すと、レバー１７，１８がねじりコイルばね２２の付勢力により主軸１６を中心に回動し、支持板１５を持ち上げ、図３に示すような装着前の状態に戻る。
第一レバー１７と第二レバー１８とは独立しているため、第一レバー１７、第二レバー１８のどちらか一方のボタン７，８を押し下げただけでは、押し下げられていない方のレバーによって支持板１５が支えられている。これにより、支持板１５は一方のボタンを押下しただけでは下方へ下がらず、出力端子１３の端子部２４は載置面４より突出しない。即ち、第一ボタン７及び第二ボタン８の両方のボタン７，８が押下された場合にのみ、支持板１５の支えが解除され、支持板１５が下降し出力端子１３の端子部２４が突出する。
【００３０】
上記実施形態によれば、第一ボタン７及び第二ボタン８の両方を押下した場合にのみ、出力端子１３の端子部２４が載置面４より突出する構成としたことによって、どちらか一方のボタンを押下した場合には、いずれの端子部２４も載置面４から突出することがない。これにより、不用意にボタンを押下した際に、突出した端子部に何らかの物体を引っ掛けたりして、端子部を変形させることを防止することができる。また、突出した端子部をショートさせる危険も回避することができる。
【００３１】
（第二実施形態）
以下、本発明の第二実施形態について図面を参照して詳細に説明する。なお、本実施形態では、上述した第一実施形態との相違点を中心に述べ、同様の部分についてはその説明を省略する。
【００３２】
図５に示すように、本実施形態の充電装置１Ｂは、携帯電話装置１００（図１０参照）を装着可能な載置部３が設けられた筐体２と、載置部３の載置面４に設けられた一対のボタン用孔６から突出された第一ボタン７Ｂ及び第二ボタン８Ｂと、一対の端子用孔９から突出された出力端子１３Ｂとを有する。出力端子１３Ｂは、携帯電話装置１００の充電端子（図示せず）に当接することによって、携帯電話装置１００の内蔵電池を充電可能な正負の端子であり、第一出力端子１１Ｂ、及び第二出力端子１２Ｂとからなる。
【００３３】
次に、端子機構５Ｂについて説明する。
図６、及び図７に示すように、端子機構５Ｂは、軸部３７を有し、この軸部３７を中心に回動可能とされた第一レバー１７Ｂと、軸部３８を有し、この軸部３８を中心に回動可能とされた第二レバー１８Ｂと、筐体２の所定位置に固定された基板３９と、基板３９に取り付けられた出力端子１３Ｂと、レバー１７Ｂ，１８Ｂ及び出力端子１３に当接してこれらの動きを関連付ける支持板１５Ｂとを有する。
【００３４】
第一レバー１７Ｂは、筐体２の短手方向に沿う軸形状の軸部３７と、軸部３７に直交する一方向及び他方向に延在するレバー本体２１Ｂと、レバー本体２１Ｂの一方の端部においてレバー本体２１Ｂの延在方向に直交する上方に突出した第一ボタン７Ｂと、レバー本体２１Ｂの他方の端部において筐体２の短手方向に延在する支持板規制部４０と、からなる。
【００３５】
第一レバー１７Ｂは、軸部３７を軸受部４１に回動可能に取り付けた状態において、第一ボタン７Ｂがボタン用孔６より突出可能なように構成されている。また、支持板規制部４０は、第一ボタン７Ｂが突出した状態において、後述する支持板１５Ｂが上方に移動するのを規制するように形成されている。
【００３６】
また、軸部３７の外周には、ねじりコイルばね２２が取り付けられている。ねじりコイルばね２２は、コイル部と、コイル部の両端が直線状とされた一対の腕部とからなり、一方の腕部がレバー本体２１Ｂの下面（第一ボタン７Ｂが突出する面と反対側の面）に当接するとともに、他方の腕部が筐体２の下枠３２（図８参照）に当接するように取り付けられている。これにより、第一レバー１７Ｂは、第一ボタン７Ｂがボタン用孔６より突出する方向に付勢される。
第二レバー１８Ｂも第一レバー１７Ｂと同様の形状を有しており、第一レバー１７が取り付けられる位置とは反対側に、第一レバー１７Ｂとは独立して取り付けられる。
【００３７】
第一出力端子１１Ｂ及び第二出力端子１２Ｂは、所謂ねじりコイルばねの一対の直線状の腕部（端部）を変形させて形成されたものであり、一端部が山状に屈曲加工され端子部２４とされているとともに、中間部が全体的に弾力を有するようにコイル状に形成されてコイル部２５とされ、他端部２６が端子部２４と対向する方向に延在し、基板３９に固定されている。
【００３８】
第一出力端子１１Ｂ及び第二出力端子１２Ｂの端子部２４側の腕部４２は、ねじりコイルバネの弾性力によって上方に付勢されているとともに、後述する支持板１５Ｂの板部４４の下面に当接している。
また、端子部２４は、後述する支持板１５Ｂの板部４４が下方に位置する状態で、山状の部位の頂点が載置面４と同一面上に位置するように形成される。
【００３９】
支持板１５Ｂは、レバー１７，１８の支持板規制部４０に下方から当接するとともに、出力端子１３Ｂの腕部４２に下方から当接される板部４４と、筐体２の短手方向に延在するとともに、板部４４と一体化された軸部４５とを有している。軸部４５の両端は、軸受部４６によって支持されている。具体的には、軸部４５は軸受部４６の上下方向に長い長孔４７（図９参照）に挿入されており、上下方向に移動可能とされている。
【００４０】
ここで、支持板１５Ｂの上下方向のストロークは、長孔４７によって規制されている。具体的には、長孔４７は、第一ボタン７Ｂ及び第二ボタン８Ｂが突出状態の場合に、支持板１５Ｂの軸部４５が支持板規制部４０によって長孔４７の下方に移動するように形成されている（図９参照）。
また、長孔４７は、第一ボタン７Ｂ及び第二ボタン８Ｂが押し込まれた状態の場合に、支持板１５Ｂの軸部４５が第一出力端子１１Ｂ及び第二出力端子１２Ｂの弾性力によって長孔４７の上方に移動するように形成されている（図１１参照）。
【００４１】
次に、本実施形態の充電装置１Ｂの動作について説明する。
図８は、本実施形態の充電装置１Ｂの未使用（携帯電話装置１００が未装着状態）状態を示すＡ−Ａ断面図であり、図９は、未使用状態を示すＢ−Ｂ断面図である。図１０は、使用状態を示すＡ−Ａ断面図であり、図１１は、使用状態を示すＢ−Ｂ断面図である。
【００４２】
図８、及び図９に示すように、未使用状態においては、ねじりコイルばね２２の作用によって、レバー１７Ｂ，１８Ｂは上方、即ちボタン７Ｂ，８Ｂの突出方向に付勢されており、これにより、ボタン７Ｂ，８Ｂはボタン用孔６を介して載置面４より突出する。即ち、一対のボタン７Ｂ，８Ｂは使用者により押下可能な状態にある。
【００４３】
この際、支持板１５Ｂの板部４４は、レバー１７Ｂ，１８Ｂの支持板規制部４０によって下方に押さえ込まれており、これにより、出力端子１１Ｂ，１２Ｂの端子部２４側もまた板部４４に下方に押さえ込まれ、端子部２４は載置面４より突出することがない。
【００４４】
図１０、及び図１１に示すように、携帯電話装置１００を充電装置１Ｂに装着しようとするときは、充電装置１Ｂの第一ボタン７Ｂ及び第二ボタン８Ｂの両方を押し込みながら装着する。即ち、第一ボタン７Ｂ及び第二ボタン８Ｂが押し込まれることによって、第一レバー１７Ｂ及び第二レバー１８Ｂが軸部３７，３８を中心に回動し、これに伴い、支持板規制部４０が上方へ動くとともに、支持板１５Ｂが上方へ動き、端子部２４が載置面４より突出し、携帯電話装置１００と接触する。
【００４５】
さらに、携帯電話装置１００を充電装置１Ｂより外すと、レバー１７Ｂ，１８Ｂがねじりコイルばね２２の付勢力により軸部３７，３８を中心に回動し、図９，１０に示すような装着前の状態に戻る。
第一レバー１７Ｂと第二レバー１８Ｂとは独立しているため、第一レバー１７Ｂ、第二レバー１８Ｂのどちらか一方のボタン７Ｂ，８Ｂを押し下げただけでは、押し下げられていない方の支持板規制部４０によって支持板１５Ｂが下方に押さえ込まれる。これにより、支持板１５Ｂは一方のボタンを押下しただけでは上方へ動かず、出力端子１３Ｂの端子部２４は載置面４より突出しない。即ち、第一ボタン７Ｂ及び第二ボタン８Ｂの両方のボタン７Ｂ，８Ｂが押下された場合にのみ、支持板１５Ｂによる端子部２４の押さえ込み解除され、出力端子１３Ｂの端子部２４が突出する。
【００４６】
上記実施形態によれば、第一ボタン７Ｂ及び第二ボタン８Ｂの両方を押下した場合にのみ、出力端子１３Ｂの端子部２４が載置面４より突出する構成としたことによって、どちらか一方のボタンを押下した場合には、いずれの端子部２４も載置面４から突出することがない。これにより、不用意にボタンを押下した際に、突出した端子部に何らかの物体を引っ掛けたりして、端子部を変形させることを防止することができる。また、突出した端子部をショートさせる危険も回避することができる。
【００４７】
なお、上記実施形態においては、支持板１５Ｂの板部４４を上方に付勢する方法として、出力端子１１Ｂ，１２Ｂの弾性力を使用したがこれに限ることはなく、別途バネを用いる方法としてもよい。
【００４８】
以上、本発明の実施形態に係る充電装置１について説明したが、本発明は上述した実施形態に限定されるものではなく、本発明の趣旨を逸脱しない範囲において種々の変更を加えることが可能である。
例えば、以上で説明した実施形態では、レバーの設置数量を２個としたが、レバーの設置数量は３個以上としてもよい。この場合、不用意に端子が突出する可能性が減少するので安全性が向上する。
【００４９】
また、支持板を付勢するばねは、圧縮コイルばねに限ることはなく、例えば板ばねを使用することもできる。
さらに、本発明の充電装置の充電対象は、携帯電話装置に限ることはなく、充電可能な電池を内蔵する携帯電子機器であれば、広く適用可能である。
【符号の説明】
【００５０】
１，１Ｂ…充電装置、２…筐体、３…載置部、４…載置面、６…ボタン用孔、７，７Ｂ…第一ボタン（ボタン部）、８，８Ｂ…第二ボタン（ボタン部）、９…端子用孔、１１，１１Ｂ…第一出力端子、１２，１２Ｂ…第二出力端子、１３，１３Ｂ…出力端子、１５，１５Ｂ…支持板、１６…主軸、１７，１７Ｂ…第一レバー（レバー）、１８，１８Ｂ…第二レバー（レバー）、２４…端子部、２５…コイル部、２６…他端部、３３…圧縮コイルばね、３７…軸部、３８…軸部、３９…基板、４０…支持板規制部、１００…携帯電話装置。
【図１】
2013017376.tif 000003
【図２】
2013017376.tif 000004
【図３】
2013017376.tif 000005
【図４】
2013017376.tif 000006
【図５】
2013017376.tif 000007
【図６】
2013017376.tif 000008
【図７】
2013017376.tif 000009
【図８】
2013017376.tif 000010
【図９】
2013017376.tif 000011
【図１０】
2013017376.tif 000012
【図１１】
2013017376.tif 000013
【図１２】
2013017376.tif 000014
【図１３】
2013017376.tif 000015